(57)【要約】      （修正有）【課題】メガネの調製の際に、耳頂点間の距離とノーズパッド中心或いはメガネレンズから耳頂点までの距離を正確、簡単に測定出来る頭部寸法測定器を提供する。【解決手段】眼前に位置するフロント部と頭部側面に位置するテンプル部とからなる。フロント部は、下面中央にノーズパッドが取付けられた中空筒状のフロントバー４と、その両端開口部からその内部にスライド自在に挿入され、コイルバネ５の付勢力に抗して引き出せ、ストッパー機構６により位置を固定出来ると共に、前面に引き出し量の表示目盛り８が設けられたヨロイ７とから構成される。テンプル部は、前端側がヨロイに固定された中空筒状のテンプルバー９と、その後端開口部からその内側に挿入され、コイルバネ１０の付勢力に抗して引き出せると共に、ストッパー機構１４により位置を固定でき、前端に突設されたプッシュロッド１５を押すことで後方側にスライドし、側面に引き出し量の表示目盛り１６が設けられたテンプル１１とから構成される。【選択図】図１
0003191368.tif 000002
【実用新案登録請求の範囲】
【請求項１】
メガネを顔にフィットさせる為に、耳頂点間の距離とノーズパッド中心又はメガネレンズから耳頂点までの距離とを計測する頭部寸法測定器であって、眼前に位置するフロント部と該フロント部の左右両端から後方に延設され、頭部側面に位置するテンプル部とからなり、フロント部は、中空筒状をなし、下面中央にノーズパッドが取付けられたたフロントバーと、該フロントバーの両端開口部からその内部に基部がスライド自在に挿入されており、内蔵されたコイルバネの付勢力に抗して外側方向に引き出せる様になっており、フロントバーに取付けられたストッパー機構によって引き出し位置を固定出来る様になっていると共に、前面には引き出し量を表示する目盛りが設けられているヨロイとから構成されており、テンプル部は、前端側が前記ヨロイに固定された中空筒状のテンプルバーと、該テンプルバーの後端開口部からその内側に挿入され、内蔵されたコイルバネの付勢力に抗して後方に引き出せる様になっていると共に、テンプルバーに取付けられたストッパー機構によって引き出し位置を固定できる様になっており、前端にはテンプルバーから突き出す様に軸芯方向に向ってプッシュロッドが突設されており、このプッシュロッドを押すことにより後方側にスライドさせられる様になっており、側面には引き出し量を表示する目盛りが設けられた棒状のテンプルとからなっていることを特徴とする頭部寸法測定器。
【考案の詳細な説明】
【技術分野】
【０００１】
この考案は眼鏡店などでメガネを注文に応じて作る際に用いる測定器に関するものである。
【背景技術】
【０００２】
良くフィットし、ずり落ちにくく、快適な装着感を持ったメガネを調製するには、注文者の頭部の寸法、特に左右の耳の頂点間の距離及びメガネのノーズパッド中心又はメガネレンズから耳の頂点までの距離を正確に知ることが必要である。
【先行技術文献】
【特許文献】
【０００３】
【特許文献１】なし
【非特許文献】
【０００４】
【非特許文献１】なし
【考案の概要】
【考案が解決しようとする課題】
【０００５】
しかしながら、従来においては多くの場合、眼鏡店のスタッフが目測で上記距離を測り、それに基づいてメガネを調製しており、不正確であることは否めず、フィット感の劣ったメガネとなってしまうことがあった。本発明者はこの現状に鑑み、メガネのフィット感に決定的な影響を与える装用者の左右の耳の頂点間の距離及びメガネのノーズパッド中心又はメガネレンズから耳の頂点までの距離を簡単かつ正確に測れる測定器を実現すべく研究を行った結果、それを完成し、ここに本考案として提案するものである。
【課題を解決するための手段】
【０００６】
メガネを顔にフィットさせる為に、耳頂点間の距離とノーズパッド中心又はメガネレンズから耳頂点までの距離とを計測する頭部寸法測定器であって、眼前に位置するフロント部と該フロント部の左右両端から後方に延設され、頭部側面に位置するテンプル部とからなり、フロント部は、中空筒状をなし、下面中央にノーズパッドが取付けられたたフロントバーと、該フロントバーの両端開口部からその内部に基部がスライド自在に挿入されており、内蔵されたコイルバネの付勢力に抗して外側方向に引き出せる様になっており、フロントバーに取付けられたストッパー機構によって引き出し位置を固定出来る様になっていると共に、前面には引き出し量を表示する目盛りが設けられているヨロイとから構成し、テンプル部は、前端側が前記ヨロイに固定された中空筒状のテンプルバーと、該テンプルバーの後端開口部からその内側に挿入され、内蔵されたコイルバネの付勢力に抗して後方に引き出せる様になっていると共に、テンプルバーに取付けられたストッパー機構によって引き出し位置を固定できる様になっており、前端にはテンプルバーから突き出す様に軸芯方向に向ってプッシュロッドが突設されており、このプッシュロッドを押すことにより、後方側にスライドさせられる様になっており、側面には引き出し量を表示する目盛りが設けられた棒状のテンプルとから構成することにより、上記課題を解決した。
【考案の効果】
【０００７】
フロントバー及びテンプルバーに設けられたストッパー機構を解除した状態で被測定者の頭部へ普通の検眼用メガネと同じ要領で装着させる。この際、プッシュロッドを指などで押圧するとテンプルはコイルバネの付勢力に抗してスムーズの後退する。このとき、コイルバネによってヨロイは内側に、テンプルは前方へそれぞれ付勢されているが、被測定者の頭部への装着に際して、ヨロイは外側に、テンプルは後方へスライドし、被測定者の頭部の寸法に応じた位置で停止する。この位置で、ストッパー機構を用いてヨロイ及びテンプルの現在位置を固定し、その状態のまま被測定者の頭部からはずし、ヨロイ及びテンプルの引き出し量を示すそれぞれの目盛りを読み、それらに示された数値によって、一対の耳頂点間の距離及びノーズパッド中心あるいはメガネレンズから耳頂点までの距離を知り、これらをテンプルの開き幅やモダンの曲げ幅を決定する為のデータとして利用して個々の装着者の頭部によりフィットしたメガネを完成させる。
この様に、目盛りの数値を読むだけで、メガネ調製の為の重要なデータを得られるので、勘や熟練、あるいは経験に頼らず、だれでもフィット感に優れたメガネを仕上げることが出来る効果を有する。
【図面の簡単な説明】
【０００８】
【図１】この考案に係る頭部寸法測定器の一実施例の斜視図。
【考案を実施するための形態】
【０００９】
メガネを顔にフィットさせる為に、耳頂点間の距離とノーズパッド中心から耳頂点までの距離とを計測する頭部寸法測定器であって、眼前に位置するフロント部と該フロント部の左右両端から後方に延設され、頭部側面に位置するテンプル部とからなり、フロント部は、中空筒状をなし、下面中央にノーズパッドが取付けられたたフロントバーと、該フロントバーの両端開口部からその内部に基部がスライド自在に挿入されており、内蔵されたコイルバネの付勢力に抗して外側方向に引き出せる様になっており、フロントバーに取付けられたストッパー機構によって引き出し位置を固定出来る様になっていると共に、前面には引き出し量を表示する目盛りが設けられているヨロイとから構成されており、テンプル部は、前端側が前記ヨロイに固定された中空筒状のテンプルバーと、該テンプルバーの後端開口部からその内側に挿入され、内蔵されたコイルバネの付勢力に抗して後方に引き出せる様になっていると共に、テンプルバーに取付けられたストッパー機構によって引き出し位置を固定できる様になっており、前端にはテンプルバーから突き出す様に軸芯方向に向ってプッシュロッドが突設されており、このプッシュロッドを押すことにより後方側にスライドさせられる様になっており、側面には引き出し量を表示する目盛りが設けられた棒状のテンプルとから構成されている。
【実施例】
【００１０】
図１はこの考案に係る頭部寸法測定器の一実施例の斜視図であり、図中１は眼前に位置するフロント部、２は前記フロント部１に左右両端から９０°屈曲して後方に向かって延設され、頭部側面に位置するテンプル部を示す。フロント部１は中空筒状をなし、下面中央にノーズパッド３が取付けられたフロントバー４と該フロントバー４の両端開口部からその内部に基部がスライド自在に挿入されており、内蔵されたコイルバネ５によってノーズパッド３の方向、即ち中央方向に付勢されているが、この付勢力に抗して外側方向に引き出される様になっていると共に、前記フロントバー４上面に取付けられたストッパーネジ６などのストッパー機構によって、引き出し位置を固定出来る略Ｌ字形を呈したヨロイ７とから構成されており、該ヨロイ７の前面には引き出し量を表示する目盛り８が設けられている。
【００１１】
一方、テンプル部２は、前端側が前記ヨロイ７に固定された中空筒状のテンプルバー９と、先端部が該テンプルバー９の後端開口部からその内部に挿入され、内蔵されたコイルバネ１０によってヨロイ７の方向、即ち前方方向に付勢されているが、この付勢力に抗して後方に引き出させる様になっていると共に、前記テンプルバー９上面に取付けられたストッパーネジ１４などのストッパー機構によって、引き出し位置を固定出来る様になっている棒状のテンプル１１とからなっており、該テンプル１１の前端には、テンプルバー９の前端開口部から突き出す様に、プッシュロッド１５がその軸芯方向に突設されている。又、テンプル１１の後端には耳掛け用のテンプルエンド１３が形成されていると共に、前方側の側面には引き出し量を表示する目盛り１６が設けられている。
【００１２】
この実施例は上記の通りの構成を有するものであり、ストッパーネジ６及び１４を緩めた状態で、被測定者の頭部へ普通の検眼用メガネと同じ要領で装着させる。この際、プッシュロッド１５を指などで押圧するとテンプル１１はコイルバネ１０の付勢力に抗してスムーズに後退する。このとき、コイルバネ５によってヨロイ７は内側に、コイルバネ１０によってテンプル１１は前方へそれぞれ付勢されているが、被測定者の頭部への装着に際して、ヨロイ７は外側に、テンプル１１は後方へスライドし、被測定者の頭部の寸法に応じた位置で停止する。この位置で、ストッパーネジ６及び１４をねじ込み、ヨロイ７及びテンプル１１の現在位置を固定し、その状態のまま被測定者の頭部からはずし、ヨロイ７の引き出し量を示す目盛り８とテンプル１１の引き出し量を示す目盛り１６を読み、目盛り８に示された数値によって一対の耳頂点間の距離を、目盛り１６に示された数値によってノーズパッド中心あるいはメガネレンズから耳頂点までの距離を知り、これらをテンプルの開き幅やモダンの曲げ幅を決定する為のデータとして利用して個々の装着者の頭部によりフィットしたメガネを完成させる。
【００１３】
この様に、この考案に係る頭部寸法測定器を用いれば目盛り８及び１６を読むだけで、メガネ調製の為の重要なデータを得られるので、勘や熟練、あるいは経験に頼らず、だれでもフィット感に優れたメガネを簡単に仕上げることが出来る効果を有する。
【産業上の利用可能性】
【００１４】
一般的な近視用や遠視用のメガネだけではなく、サングラスやスポーツ用のメガネにも利用可能である。
【符号の説明】
【００１５】
１．フロント部
２．テンプル部
３．ノーズパッド
４．フロントバー
５．コイルバネ
６．ストッパーネジ
７．ヨロイ
８．目盛り
９．テンプルバー
１０．コイルバネ
１１．テンプル
１３．テンプルエンド
１４．ストッパーネジ
１５．プッシュロッド
１６．目盛り
【図１】
0003191368.tif 000003